(57)【要約】【課題】  建物等の出入口近くに配置され、洪水や豪雨等による増水した水が止水板の格納庫に流入することにより止水板が自動的に回動して起立状態となり、水が出入口から建物内に浸入するのを防ぐ洪水用止水装置を提供することを課題とする。【解決手段】  止水板収納槽の内部に、回動式の止水板の前方部分を乗せるための浮動置台を成形し、他方に止水板の回動支点を支える支点置台を取付け、止水板収納槽の中に浮力体を収納すると共に、止水板収納槽の内部側面に浮力体を誘導するための誘導バーを取付け、止水板の下側に浮力体を誘導するための当り板を取付け、止水板が起立状態にある時に下辺となる側に回動支点を取付けたことにより、洪水や豪雨等の増水時に、初期の少し増水したような時点でも、止水板収納槽３１が満水になることにより止水板８が自動的に完全に起立状態（垂直状態）になり水が出入口から建物内に浸入するのを防ぐ洪水用止水装置を提供する。【選択図】図５
2015158117.tif 000002
【特許請求の範囲】
【請求項１】
建物を洪水等の浸水から守るための止水装置において、止水板収納槽の上部の水が浸入する側に、回動式の止水板の前方部分を乗せるための浮動置台を成形し、他方に止水板の回動支点を支える支点置台を取付け、止水板収納槽の中に浮力体を収納すると共に、止水板収納槽の内部側面に浮力体を誘導するための誘導バーを取付け、止水板の下側に浮力体を誘導するための当り板を取付け、止水板が起立状態にある時に下辺となる側に回動支点を取付けたことを特徴とする洪水用止水装置。
【請求項２】
浮力体に当接する当り板を、概ね、ひょうたんを縦半部に切断した断面形状で成形したことを特徴とする請求項１に記載の洪水用止水装置。
【請求項３】
浮力体を当り板に誘導するための誘導バーを、湾曲した鋼材で形成したことを特徴とする請求項１と２に記載の洪水用止水装置。
【発明の詳細な説明】
【技術分野】
【０００１】  本発明は、建物等の出入口に配置され、洪水や豪雨等の増水時に、水が出入口から建物内に浸入するのを防ぐ止水装置に関するものである。
【背景技術】
【０００２】  日本は台風の上陸個数も多く、従来から豪雨による浸水被害を受けることが数多く見られたが、さらに近年では、地球規模の温暖化が進行するなかで、都市部では、地表面の透水率が低下して集中豪雨等による浸水被害が新たな問題となっている。【０００３】  このような状況の中で、都市部では土地が狭いため、浸水被害を受けやすい地下（半地下駐車場等）を活用した住宅が多く建築されるようになり、社会全体が浸水災害に対して脆弱化するといった現象が見られ、このため地下施設等を浸水被害から守るための有効な手段として、安価で高性能な止水扉が求められている。【０００４】  各種施設において、地下への出入口や通路といった人間が通行しなければならない場所は、浸水の際の弱点となっている。これまで、このような箇所で異常な水位の上昇が疑われる場合には、多くの場合、土嚢を積み上げ応急的に浸水対策を行ってきた。また、浸水に対する日頃の備えがなされているケースでは、構造が簡単で安価な止水板を通路のガイド溝に嵌め込み浸水の侵入を防いできた。【０００５】  しかしながら、集中豪雨等による高水位は長時間に及ぶので、このような土嚢や止水板等による浸水対策では隙間から水が浸入するため、効果的に浸水を封止することが困難であり、浸水被害を防止できない場合があった。【０００６】  さらに、止水用の設備が備わっている建物においても、地下の建物等に浸水の恐れがある場合には止水させるための処置を講ずるため止水作業に従事できる人間がいなければならないが、このような作業においては的確な判断力と能力が求められるため、止水用の設備が備わっているにも係らず対応が遅れて浸水を阻止することが出来ない場合があった。
【先行技術文献】
【特許文献】
【０００７】  洪水や豪雨等による増水が地下室、建物等に侵水するのを防ぐための防水装置は、例えば特許文献１により提案されている。
【特許文献１】特開２００１−２４１２６１
【０００８】  特許文献１に記載されている可動防水装置は、洪水等の水が地下室に浸水するのを堰き止める防水板と、その防水板を地下から上方へガイド装置に沿って持ち上げる駆動装置から構成されている。防水板は地下室の入口の地下に配置され、駆動装置は水道水が供給される水圧式のピストンシリンダユニットで構成され、地下室に洪水等の水が浸水する恐れが発生した場合には、ピストンシリンダユニットに水道水を供給することにより地下室の入口の地下に配置している防水板が地下から所定の高さまで上昇し、洪水等の水が地下室に浸水するのを堰き止める。【０００９】  しかし、このような水道水を利用した可動防水装置では、人間が防水装置を作動（水道水を供給）させなければならず、外出中に豪雨等により川が氾濫して洪水が発生した場合においては防水装置を作動させることは不可能であった。【００１０】  さらに、洪水や豪雨等の場合、人間が操作せず増水した水の力により自立的に止水板が起立し、建物等に侵水するのを防ぐための止水装置は、例えば特許文献２により提案されている。
【特許文献２】特開２００６−２９９５７４
【００１１】  特許文献２に記載されている止水扉は、止水板に浮力体（発泡体）を取り付け、止水板が起立状態にある時に下辺となる側に揺動支点を設け、この止水板を止水板側揺動支点と結合する揺動支点を設けた基礎の上に置き、止水板両側部および止水板下部の隙間を封止する止水板隙間封止機構を持つ止水扉とし、平時は倒伏して格納され、止水板の前方より高水位が現れると、止水板に浮力が発生して止水板側揺動支点を軸として揺動浮上し、止水扉には、止水板両側部および止水板下部の隙間を封止する止水板隙間封止機構があるので、水流が漏れることなく高水位を効果的に遮断できる、と記載されている。【００１２】  しかしながら、このような止水板に浮力体（発泡体）を利用した止水装置では、止水板を完全に９０度の位置まで起立状態にするためには、洪水の高さが止水板が起立状態の高さまで達することが必要であり、さらに、洪水が発生した初期の段階では止水板が起立状態にならず、さらに、洪水が発生した初期の段階では止水板が洪水の波の力により揺すられ、姿勢が安定しないため、止水板と横壁との隙間等から水が浸入したり、水流が強い場合には水が止水板を乗り越えて浸水してしまうといった問題点が発生した。【００１３】  さらに、洪水や豪雨等の増水時に、人間が操作せず増水した水の力で自立的に止水板が起立して、建物等に侵水するのを防ぐための止水装置は、例えば特許文献３により提案されている。
【特許文献３】特開２００３−２１４０４９
【００１４】  止水板は全体で水に浮く比重とし、浮力による止水板設置を必要とする排水溝の両端にガイドを立て、排水溝の蓋を兼ねる止水板トップを豪雨等の侵入水が入るように排水溝の上縁よりリブフレームで上げる。排水溝は平時の雨に対しては排水されている為に止水板は浮上しないが、豪雨時に排水管では排水しきれなくなると、排水溝に水が溢れ出し、止水板を浮力で浮上させて浸水を防御する、と記載されている。【００１５】  しかしながら、このような止水板に発泡体を取付け、止水板を上下させる止水装置において、半地下駐車場等の車の出入口に設置する場合、止水板を自動車の走行に耐える構造にしなければならず、止水板が重くなり、そのため重い止水板を垂直に持ち上げようとすると浮力材を大きく成形しなければならないといった問題が発生すると共に、洪水による水の強い圧力により止水板を両側で支えている溝（凹部）と止水板の凸部が擦れて固着し、止水板の上下動作がスムーズに行われないため止水板の上部から浸水してしまうといった問題が発生した。
【発明の概要】
【発明が解決しようとする課題】
【００１６】  本発明は、上記した従来技術の問題点を解決すべくなされたもので、半地下駐車場等の出入口に配置され、洪水や豪雨等の増水時に、増水した水が止水板の収納槽に流入することにより止水板が自動的に回動して起立状態となり、水が出入口から地下内に浸入するのを防ぐ止水装置を提供することを課題とする。
【課題を解決するための手段】
【００１７】  かかる課題を解決するため、請求項１に記載の発明は、建物を洪水等の浸水から守るための止水装置において、止水板収納槽の上部の水が浸入する側に、回動式の止水板の前方部分を乗せるための浮動置台を成形し、他方に止水板の回動支点を支える支点置台を取付け、止水板収納槽の中に浮力体を収納すると共に、止水板収納槽の内部側面に浮力体を誘導するための誘導バーを取付け、止水板の下側に浮力体を誘導するための当り板を取付け、止水板が起立状態にある時に下辺となる側に回動支点を取付けたことを特徴とする。【００１８】  請求項２に記載の発明は、請求項１に記載の構造に加え、浮力体に当接する当り板を、概ね、ひょうたんを縦半部に切断した断面形状で成形したことを特徴とする。【００１９】  請求項３に記載の発明は、請求項１又は２のいずれか１項に記載の構造に加え、浮力体を当り板に誘導するための誘導バーを、湾曲した鋼材で形成したことを特徴とする。
【発明の効果】
【００２０】  請求項１に記載の発明によれば、建物を洪水等の浸水から守るための止水装置において、止水板収納槽の上部の水が浸入する側に、回動式の止水板の前方部分を乗せるための浮動置台を成形し、他方に止水板の回動支点を支える支点置台を取付け、止水板収納槽の中に浮力体を収納すると共に、止水板収納槽の内部側面に浮力体を誘導するための誘導バーを取付け、止水板の下側に浮力体を誘導するための当り板を取付け、止水板が起立状態にある時に下辺となる側に回動支点を取付けたことにより、洪水や大雨等で増水を始めた、初期の時点において、止水板収納槽に流入した増水した水により止水板が自動的に起立状態になるまで回動して起き上がり固定化し、水が出入口から建物内に浸入するのを防ぐ止水装置を提供することが可能となった。【００２１】  請求項２に記載の発明によれば、浮力体に当接する当り板を、概ね、ひょうたんを縦半部に切断した断面形状で成形したことにより、止水板収納槽の中の浮力体が増水により浮び上がるにつれて、止水板が増水量に応じて少しづつスムーズに回動し、さらに浮力体が最上部に達する際には、ひょうたんの下部のアール形状をした部分を浮力体が押し上げることにより、確実に安定した状態で止水板を起立状態に保持することが可能となった。【００２２】  請求項３に記載の発明によれば、浮力体を当り板に誘導するための誘導バーを、湾曲した鋼材で形成したことにより、止水板収納庫の中の浮力体が水の力で持ち上がる際、浮力体を当り板の回転支点方向に押し付けながら、浮力体を上昇させることが可能となった。
【実施例１】
【００２３】  以下、この発明の実施の形態１について説明する。
［発明の実施の形態１］【００２４】  図１乃至図９には、この発明の実施の形態１を示す。【００２５】  図１は、住宅１の半地下駐車場３の駐車場出入口５の地表面６に、洪水用止水装置４を設置した状態を示す。洪水や豪雨等の時に、駐車場出入口５の地表面６に設置した洪水用止水装置４の中の浮力体が増水した水で浮上し、浮上した浮力体により止水板８が自動的に持ち上げられて（回動して）起立状態となることにより、人間が介在することなく洪水や豪雨等で増水した水の浸水を確実に阻止することが出来るようになった。さらに止水板８が起立状態になったときの止水可能な有効高さを、想定する洪水や豪雨等の最大水位を上回る寸法にすることにより、洪水や豪雨等による高水位に対する有効な止水扉として機能させることが可能となった。【００２６】  図２は、洪水用止水装置４の各部品を分解した状態を立体図で示す。洪水用止水装置４の止水板８には滑り止め効果のある縞鋼板を使用し、止水板８の裏面には自動車が進入して来る方向に角形鋼材１２を取付け、他方にＺ形の形状をしたＺ形鋼材１４を取付け、さらに角形鋼材１２とＺ形鋼材１４を連結して補強するため、止水板８の裏側の両側に鋼板で形成した側面鋼板１３を取付けると共に、止水板８と角形鋼材１２とＺ形鋼材１４に複数のＬ形の形状をしたＬ形補強板１１を取付けて止水板８を補強し、さらに両側の側面鋼材１３から同一長さの２箇所のＬ形補強板１１に、ひょうたんを縦半分に切断した断面形状の当り板１８（鋼板）を溶接で固定し、さらにＺ形鋼材１４には、止水板８を回動させるため、略、扇形をして中央部に穴１０を開けた複数個の回動支持部材１６を取付ける。【００２７】  浮力体１９は、一辺約７３ｃｍのステンレス鋼板を折り曲げ正八角形状に溶接して成形し、両端を八角形の鋼板を溶接して塞ぎ、内部に水が浸入しないように中空状の浮力体１９として構成することにより、長期にわたり浮力材として安定した機能を維持し、洪水や豪雨等の増水時には止水板８を持ち上げる（回動させる）ための浮力体としての役目を果たす。【００２８】  止水板収納槽３１は、ステンレス鋼板を折り曲げ溶接して成形し、上部の止水板８を支える部分に、略Ｌ形の形状をしたＬ形鋼材２８で支点置台２７を成形し、Ｌ形鋼材２８の支点置台２７には止水板８の固定支持部材１６を受け止めるため、固動支持部材１６を逆さにし、２個横並び状態に配置した回動受部材２５が取付けられる。さらに止水板収納槽３１の上部の他方には、止水板８が閉じた状態において止水板８の角形鋼材１２を受け止めるため、略Ｚ形の形状をしたＺ形鋼材３５が浮動置台３４を成形する。このように構成した止水板収納槽３１のＬ形鋼材２８の下部には平板状の斜め鋼板２９が斜めに取付けられ、斜め鋼板２９の下部には平板状の側面鋼板３０が取付けられる。またＺ形鋼材３５の浮動置台３４の下部には平板状の側面鋼板３３が取付けられ、側面鋼板３３には誘導バー２１を固定するための穴３６が開けられ、さらに側面鋼板３３の両端方向には止水板８を持ち上げる（回動させる）際に補助力として作動する補助力棒３８が取付けられ、さらに側面鋼板３０と側面鋼板３３の下部には、幅約２５０ｃｍの平板状の底部鋼板３２が取付けられ��このように構成したＬ形鋼材２８、斜め鋼板２９、側面鋼板３０、底部鋼板３２、側面鋼板３３の両端には平板状の側板９が取付けられる。なお、図２に示した洪水用止水装置４では、図示した左手前側を一部カットした断面図で示すことにより止水板収納槽３１の形状を詳細に分りやすく示す。なお洪水用止水装置４に使用する各部品の鋼材、ボルト等は、長期にわたり錆び等が発生せずメンテナンスが不要のステンレス鋼材を使用する。【００２９】  図３は、図２で説明した、Ｌ形鋼材２８の支点置台２７に２個横並び状態に配置した回動受部材２５に止水板８の回動支持部材１６を挟み込み、止水板８が止水板収納槽３１に対して回動することが出来るようにボルト１７とナット１５で取付けると共に、誘導バー２１の取付板２２を側面鋼板３３の穴３６にボルト２４とナット３７で固定した状態を立体図で示す。【００３０】  図４は、洪水用止水装置４の止水板８が閉じた状態を断面図で示す。図２、図３で説明した止水板８に取付けられた回動支持部材１６を、止水板収納槽３１の支点置台２７の２個横並び状態に配置した回動受部材２５に挟み込むようにボルト１７とナット１５で取付けた状態を、図４の回動支点５１で示すと共に、止水板８の先端部の角形鋼材１２が浮動置台３４の上部に乗り、止水板８の先端部と土間４６との間に、洪水や豪雨等により増水した水が止水板収納槽３１の中に流れ込むように隙間（浸水部４４）を開口し、止水板収納槽３１の側面鋼板３３には誘導バー２１の取付板２２がボルト２４とナット３７で取付けられ、底部鋼材３２の上部に浮力体１９を置き、止水板収納槽３１の底部に排水口４７を設置し排水口４７には、呼び径ＶＰＷ２５（外径３２．０ｍｍ）の排水管４８が接続され、排水管４８は下水管４９に接続される。このように構成することにより、平時の雨の時に止水板収納槽３１に流れ込んだ雨水は、排水口４７から排水管４８を経由して下水管４９に排水されるため、止水板収納槽３１の中に水が溜まらず浮力体１９は浮上しないが、洪水や豪雨時に大量の水が止水板収納槽３１に流れ込み、排水管４８が水を排水し切れなくなると、止水板収納槽３１の中に水が溜まり、浮力体１９が水の力で浮上することにより、図５で示すように止水板８が回動して起立状態となる。さらに洪水や豪雨等による増水が終了し、平時に戻ると、止水板収納槽３１の中に溜まった水は、底部に設置した排水口４７より排水管４８を経由して下水管４９に排水されるため、止水板８は人手を介することなく自動的に元の状態に戻ることが可能となった。【００３１】  図５は、洪水用止水装置４の止水板収納槽３１に洪水４５で増水した水が流入したことにより浮力体１９が浮上し、浮力体１９が当り板１８を持ち上げる（回動させる）ことにより止水板８が起立した状態を断面図で示す。洪水４５により増水した水が止水板収納槽３１に流れ込むことにより、浮力体１９が誘導バー２１の湾曲鋼材２０の曲面に沿って（押されて）回動支点５１方向に上昇し、上昇した浮力体１９は当り板１８を押し上げることにより止水板８は回動支点５１を支点として上方向に回動し、さらに止水板収納槽３１の中の水が上昇することにより浮力体１９が当て板１８の、ひょうたん形をした下��の丸い膨らみ部分を持ち上げ（回動させ）、止水板８を起立状態になるまで回動させ固定化することが可能になった。このように止水板収納槽３１の側面鋼板３３を側面鋼板３０に対して高く構成し、側面鋼板３０の上部に斜めに斜め鋼板２９を配置することにより、洪水等の増水により水が止水板収納槽３１に流れ込み浮力体１９が浮上する際、止水板８が閉じた初期の時点では、浮力体１９が止水板収納槽３１の中を真上に上昇し、浮力体１９が当り板１８の前後中間部に相当する当り板中部５２に当接して止水板８を持ち上げる（回動させる）ことにより、常に浮力体１９が当り板中部５２の同位置を同一浮力で持ち上げる（回動させる）ことが可能となったため浮力体１９の形状（サイズ）を必要以上に大きくすることが無くなると共に、さらに止水板収納槽３１の中に水が流れ込み浮力体１９が上昇すると、浮力体１９は誘導レバー２１の湾曲鋼材２０に沿って回動支点５１方向に上昇するため、浮力体１９が当り板１８の、ひょうたん形をした下部の丸い膨らみ部分（当り板後部５３）を押し上げ（回動させ）、止水板８を起立状態（９０度）まで回動させることが可能となった。このように当り板１８の、ひょうたん形をした下部の丸い膨らみ部分（当り板後部５３）を丸くお椀形状に成形することにより、止水板８を起立状態（９０度）まで回動させることが出来るようになった。なお浮力体１９が止水板収納槽３１の中で最上部の位置に浮び上がった際、当り板１８のひょうたん形をした下部の当り板後部５３の回動支点５１側と、湾曲鋼材２０の上部と斜め鋼板２９が全て当接するように構成することにより、図５の水位５０で示したように、増水により水面が止水板８の最大水位に達した場合でも、浮力体１９が浮き上がろうとする力により当り板１８を起立状態に固定化させることが可能となった。【００３２】  図６は、図２と図３で説明した止水板８の回転支持部材１６を、止水板収納槽３１の支点置台２７に２個横並び状態に配置した回動受部材２５に挟み込むようにボルト１７とナット１５で取付けると共に、浮力体１９を止水板収納槽３１の中に入れ、洪水等で増水した水が止水板収納槽３１に流れ込み、水が水位５５の位置まで上昇したことにより浮力体１９が浮き上がった状態を示す。このように洪水や豪雨等の増水により止水板収納槽３１に水が侵入して浮力体１９が持ち上げられ、浮力体１９が湾曲鋼材２０の曲面に沿って上昇することにより、当り板１８を押し上げ止水板８が回動して起立状況となった状態を示す。このように洪水や豪雨等による増水により止水板収納槽３１の中に水が浸入する、初期の浸水状態においても、止水板収納槽３１が満水になることにより止水板８が完全に起立状態（垂直状態）になるため、止水板８が起立状態になった時の有効高さを、想定する洪水の最大水位を上回る寸法にすることにより、洪水や豪雨等による増水時に有効な止水扉として人間が介在することなく確実に浸水を阻止できる。【００３３】  図７は、図６で説明した洪水用止水装置４の止水板８が閉じた状態を立体図で示す。止水板８の上部両端には長方形の鋼板で水流遮蔽板５８が取付けられ、建物の出入口の止水壁５６には、水流遮蔽板５８を収納するための凹状の遮蔽板受部５���が設けられ遮蔽板受部５７の内部には、遮蔽板受部５７に水流遮蔽板５８を収納した際に水を遮蔽するため防水ゴム（図示せず）が取付けられる。このように水流遮蔽板５８と遮蔽板受部５７を構成することにより、止水板８が起立状態になった場合、水流遮蔽板５８が遮蔽板受部５７に挿入され止水板８の横側からの浸水を防ぐことが可能となった。【００３４】  図８、図９は、止水板８が閉じた状態から、洪水や豪雨等で増水した水が止水板収納槽３１に流れ込み浮力体１９が上昇して止水板８を持ち上げる（回動させる）際に、止水板８を持ち上げる（回動させる）手助けをする補助力棒３８の機能を説明する。図４で説明したように、止水板８を持ち上げる（回動させる）ために要する力は、止水板８が閉じている状態から持ち上げ（回動させる）ようとする時が最大で、止水板８が起立状態に近づくに従って減少する。本発明による止水板８の場合も同様で、車が出入りすることが出来るように止水板８を鋼材で補強した場合の重さは、幅約４５ｃｍ、長さ約４ｍの止水板８でも約１００Ｋｇの重さになってしまった。そのため浮力体１９の浮力だけで止水板８を持ち上げ（回動させる）ようとした場合は、非常に大きな容量の浮力体１９が必要であり、現実的ではないため、止水板８が閉じた状態から少し持ち上げられる状態（止水板８を約１５度〜２０度まで回動させる）まで、止水板８を持ち上げる（回動させる）ための補助力として作用するスプリングの力を利用した補助力棒３８を考案した。なお、図４、図５と図８、図９は、本発明の実施の形態１における、同一の洪水用止水装置４を示しているが、図４、図５の断面図では、誘導バー２１の機能を明確に説明するため補助力棒３８を削除した状態を断面図で示した。また、図８、図９の断面図では、補助力棒３８の機能を明確に説明するため誘導バー２１を削除した状態を断面図で示した。【００３５】  補助力棒３８は、図２、図３、図６で示すように止水板収納槽３１の両側２箇所の側面鋼板３３に取付けられ、図８、図９に示すように、スプリング６０と、円筒形の棒収納筒６１と、その棒収納筒６１に挿入するため上端に半球状の押し板５９が取付けられた棒６２と、棒収納筒６１を止水板収納槽３１の側面鋼板３３の内側に固定するための取付板６３で構成され、スプリング６０に棒６２を挿入した後、そのスプリング６０に挿入した棒６２を、さらにスプリング６０の外径と概ね同一の鋼管状の棒収納筒６１に挿入し、図９で示すように、スプリング６０が基準荷重時高さに達した場合に押し板５９が止水板８と当接した状態（止水板８の角度が地表面に対して約１５度〜２０度となる位置）で、棒収納筒６１が側面鋼板３３に対して約１０度傾くように取付板６３を斜めに成形し側面鋼板３３に取付ける。【００３６】  このように止水板収納槽３１の側面鋼板３３に補助力棒３８を取付け、図８に示すように、止水板８が閉じた状態において、スプリング６０の下端が棒収納筒６１の上端に接してスプリング６０が荷重時高さとなるように構成することにより、図９に示すように、洪水や豪雨等の増水により水が止水板収納槽３１に流れ込み止水板収納槽３１の中の水位６４が上昇して浮力体１９が浮び上がる際に、浮力体１９が浮き上���ろうとする浮力と合わせて補助力棒３８のスプリング６０が基準荷重時高さまで伸びて止水板８を持ち上げる（回動させる）ための補助力として作用し、増水初期の増水した水の量が少なく、止水板収納槽３１が洪水や豪雨等の水で満水にならない状態でも容易に止水板８を持ち上げることが出来るようになり、洪水や豪雨等の増水初期の状態から浸水を防ぐことが可能となった。なお、補助力棒３８のスプリング６０の外径、線径、自由高さ、荷重時高さ等については、止水板８のサイズ（重さ）を考慮して決定する。
【実施例２】
【００３７】  以下、この発明の実施の形態２について説明する。
［発明の実施の形態２］【００３８】  図１０には、この発明の実施の形態２を示す。上記発明の実施の形態１では、図２乃至図９において浮力体１９を中空状の八角形で構成していたが、この発明の実施の形態２では、浮力体７９を中空状の筒状で構成した。このように浮力体１９の形状に関しては、筒状で中空状の四角形、六角形等の形状をしたステンレス製の浮力体を用いることも可能である。その他の構造に関しては、この発明の実施の形態１と同様である。【００３９】  以上、実施の形態に基づいて、本発明に係る洪水用止水装置について詳細に説明してきたが、本発明は、以上の実施の形態に限定されるものではなく、発明の趣旨を逸脱しない範囲において各種の改変をなしても、本発明の技術的範囲に属するのはもちろんである。【００４０】  図２において、当り板１８の形状を、ひょうたんを縦半分に切断した断面形状と説明したが、ひょうたん形の形状に限定せず、三角形の形状、又は牛刀等の形状で成形した、当り板を用いることも、もちろん可能である。【００４１】  図２において、誘導バー２１の湾曲鋼材２０を湾曲した鋼材で形成したと説明したが、この形状に限定せず、ブーメラン形状、への字形の形状等で形成することも、もちろん可能である。【００４２】  図２において、浮力体１９を八角形の形状で形成すると説明したが、八角形に限定せず、六角形、四角形、丸筒等で成形することも、もちろん可能である。【００４３】  図２において、浮力体１９の材質をステンレス板で成形すると説明したが、ステンレス板に限定せず、発泡スチロール等の軽くて水に浮く樹脂材料で作成し、当り板１８と湾曲鋼材に当接する部分に、合板、ステンレス板等を貼り付けて構成することも、もちろん可能である。
【図面の簡単な説明】
【００４４】
【図１】この発明の実施の形態１に係る、住宅の半地下駐車場の出入口に、洪水用止水装置を設置した状態を住宅の立体図で示す。
【図２】同実施の形態に係る、洪水用止水装置の各部品を分解して立体図で示す。
【図３】同実施の形態に係る、洪水用止水装置の各部品を分解して立体図で示す。
【図４】同実施の形態に係る、洪水用止水装置が閉じた状態を断面図で示す。
【図５】同実施の形態に係る、洪水用止水装置の止水板収納槽が洪水により浸水し、止水板が起立状態となった状態を断面図で示す。
【図６】同実施の形態に係る、図３で示した洪水用止水装置の各部品を組立てた状態を立体図で示す。
【図７】同実施の形態に係る、図６で説明した洪水用止水装置の止水板が閉じた状態を立体図で示す。
【図８】同実施の形態に係る、止水板収納槽と補助力棒と止水板との関係を断面図で示す。
【図９】同実施の形態に係る、洪水用止水装置の止水板収納槽が洪水により浸水し、止水板が浮力体と補助力棒の力により少し回動して起き上がった状態を断面図で示す。
【図１０】この発明の実施の形態２に係る、円筒状の浮力体を利用した洪水用止水装置を立体図で示す。
【符号の説明】
【００４５】１                  住宅
２                  庇
３                  半地下駐車場
４                  洪水用止水装置
５                  駐車場出入口
６                  地表面
７                  玄関ドア
８                  止水板
９                  側板
１１                Ｌ形補強板
１２                角形鋼材
１３                側面鋼板
１４                Ｚ形鋼材
１５                ナット
１６                回動支持部材
１７                ボルト
１８                当り板
１９                浮力体
２０                湾曲鋼材
２１                誘導バー
２２                取付板
２３                穴
２４                ボルト
２５                回動受部材
２６                穴
２７                支点置台
２８                Ｌ形鋼材
２９                斜め鋼板
３０                側面鋼板
３１                止水板収納槽
３２                底部鋼板
３３                側面鋼板
３４                浮動置台
３５                Ｚ形鋼材
３６                穴
３７                ナット
３８                補助力棒
４４                浸水部
４５                洪水
４６                土間
４７                排水口
４８                排水管
４９                下水管
５０                水位
５１                回動支点
５２                当り板中部
５３                当り板後部
５５                水位
５６                止水壁
５７                遮蔽板受部
５８                水流遮蔽板
５９                押し板
６０                スプリング
６１                棒収納筒
６２                棒
６３                取付板
６４                水位
６５                当り板
６６                止水板
６７                Ｌ形補強板
６８                角形鋼材
６９                側面鋼板
７０                湾曲鋼材
７１                ボルト
７２                ナット
７３                Ｚ形鋼材
７４                浮動置台
７５                側面鋼板
７６                底部鋼板
７７                側面鋼板
７８                斜め鋼板
７９                浮力体
８０                補助力棒
８１                水位
８２                洪水用止水装置
【図１】
2015158117.tif 000003
【図２】
2015158117.tif 000004
【図３】
2015158117.tif 000005
【図４】
2015158117.tif 000006
【図５】
2015158117.tif 000007
【図６】
2015158117.tif 000008
【図７】
2015158117.tif 000009
【図８】
2015158117.tif 000010
【図９】
2015158117.tif 000011
【図１０】
2015158117.tif 000012